(57)【要約】【課題】作物に対する影響を与えることなく、蛹や卵を含めて有効に害虫を防除することができる害虫防除方法及び害虫防除システムを提供する。【解決手段】ガス成分により作物２の害虫を防除する害虫防除方法であって、作物２が植えられた地表面３から作物２の背丈までの領域４の炭酸ガス濃度を調節することを特徴とする。また、作物２が植えられた地表面３から作物２の背丈までの領域４の炭酸ガス濃度と、炭酸ガス濃度保持時間の積が５０％・分以上であることを特徴とする。【選択図】図１
2007111005.tif 000002
【特許請求の範囲】
【請求項１】
ガス成分により作物の害虫を防除する害虫防除方法であって、作物が植えられた地表面から作物の背丈までの領域の炭酸ガス濃度を調節することを特徴とする害虫防除方法。
【請求項２】
作物が植えられた地表面から作物の背丈までの領域の炭酸ガス濃度と、炭酸ガス濃度保持時間の積が５０％・分以上であることを特徴とする請求項１に記載の害虫防除方法。
【請求項３】
作物が植えられた地表面から作物の背丈までの領域の炭酸ガス濃度調節手段と、作物が植えられた地表面から作物の背丈までの領域のガス濃度を測定する測定手段と、測定結果から炭酸ガス濃度調節条件を制御する制御手段と、を備え、請求項１又は２に記載の害虫防除方法で害虫を防除することを特徴とする害虫防除システム。
【発明の詳細な説明】
【技術分野】
【０００１】
本発明は、ガス成分により作物の害虫を防除する害虫防除方法に関するものである。
【背景技術】
【０００２】
従来から、作物に対する害虫防除方法として、農薬を用いる方法が知られているが、残留農薬が人体に及ぼす危険性から、安全な害虫防除方法が求められている。このような防除方法の一つとして、特開２００１−８９３１１号公報（特許文献１）に記載されているガス成分により作物の害虫を防除する害虫防除方法技術が知られている。
【０００３】
これは、オゾンガス単体、又はオゾンガスの供給と紫外線ランプの点灯とを併用することによって、効果的に小動物を駆除する方法を提供するものである。
【特許文献１】特開２００１−８９３１１号公報
【発明の開示】
【発明が解決しようとする課題】
【０００４】
しかしながら、オゾンガスにより作物の害虫を防除する害虫防除方法では、残留農薬等による問題は回避できるものの、蛹や卵に対する効果がなく、有効な害虫防除ができない可能性がある。
【０００５】
本願発明は、上記背景技術に鑑みてなされたものであり、その課題は、作物に対する影響を与えることなく、蛹や卵を含めて有効に害虫を防除することができる害虫防除方法及び害虫防除システムを提供することである。
【課題を解決するための手段】
【０００６】
上記課題を解決するために、請求項１に記載された発明は、ガス成分により作物の害虫を防除する害虫防除方法であって、作物が植えられた地表面から作物の背丈までの領域の炭酸ガス濃度を調節することを特徴とする害虫防除方法である。
【０００７】
また請求項２に記載された発明は、作物が植えられた地表面から作物の背丈までの領域の炭酸ガス濃度と、炭酸ガス濃度保持時間の積が５０％・分以上であることを特徴とする請求項１に記載の害虫防除方法である。
【０００８】
また請求項３に記載された発明は、作物が植えられた地表面から作物の背丈までの領域の炭酸ガス濃度調節手段と、作物が植えられた地表面から作物の背丈までの領域のガス濃度を測定する測定手段と、測定結果から炭酸ガス濃度調節条件を制御する制御手段と、を備え、請求項１又は２に記載の害虫防除方法で害虫を防除することを特徴とする害虫防除システムである。
【０００９】
ここで、作物の背丈とは、害虫防除対象である作物の背丈のうち、最も小さいものをいう。
【００１０】
また、炭酸ガス濃度とは、作物が植えられた地表面から作物の背丈までの領域において、無作為に抽出した三点の炭酸ガス濃度を炭酸ガスセンサー、検知管等によって、測定し、これを平均した濃度をいう。
【００１１】
また、炭酸ガス濃度保持時間とは、作物が植えられた地表面から作物の背丈までの領域において、炭酸ガス濃度が所定の値になって以降の経過時間をいう。
【発明の効果】
【００１２】
請求項１に記載された発明によれば、作物が植えられた地表面から作物の背丈までの領域の炭酸ガス濃度を調節するので、作物に対する影響を与えることなく、成虫、幼虫、蛹及び卵を有効に防除することができる。また炭酸ガスを用いることから、別段の拡散装置等を必要とせずに、ガス成分を作物が植えられた地表面に近い部分から順次上方に向かって充満させることが可能となり、かつ作物の光合成を促進することができる。
【００１３】
請求項２に記載された発明によれば、炭酸ガス濃度調節条件が一定以上であるので、害虫の確実に防除できる。
【００１４】
請求項３に記載された発明によれば、測定結果に応じて、炭酸ガス濃度調節条件を制御できるので、効果的な害虫防除及び光合成の促進が可能となる。
【発明を実施するための最良の形態】
【００１５】
本願発明の一実施形態として、本願の請求項１〜３に対応した害虫防除方法及び害虫防除システム１について図１により説明する。
【００１６】
本実施形態の害虫防除方法は、図１に示す如く、ガス成分により作物２の害虫を防除する害虫防除方法であって、作物２が植えられた地表面３から作物２の背丈までの領域４の炭酸ガス濃度を調節することを特徴とする。
【００１７】
また、作物２が植えられた地表面３から作物２の背丈までの領域４の炭酸ガス濃度と、炭酸ガス濃度保持時間の積が５０％・分以上であることを特徴とする。
【００１８】
本実施形態の害虫防除システム１は、作物２が植えられた地表面３から作物２の背丈までの領域４の炭酸ガス濃度調節手段５と、作物２が植えられた地表面３から作物２の背丈までの領域４のガス濃度を測定する測定手段６と、測定結果から炭酸ガス濃度調節条件を制御する制御手段７と、を備え、本実施形態に係る害虫防除方法で害虫を防除することを特徴とする。
【００１９】
以下、本実施形態による害虫防除方法及び害虫防除システム１を、より具体的詳細に説明する。
【００２０】
最初に、炭酸ガスであるが、市販のものであり、本実施形態ではボンベ入りのものを使用している。
【００２１】
炭酸ガス濃度調節手段５は、ボンベに取り付けられたレギュレータであり、この開閉の程度を調節することで、作物２が植えられた地表面３から作物の背丈までの領域４の炭酸ガス濃度が調節される。
【００２２】
測定手段６は、汎用のガス検出器であり、本実施形態においては炭酸ガスセンサーを使用している。
【００２３】
制御手段７は、マイコン等を主要構成要素とするものであり、測定手段に接続されており、測定手段が測定する炭酸ガス濃度に応じて、炭酸ガス濃度調節手段であるレギュレータの開閉の程度を調節する。
【００２４】
作物２は、農作物全般であるが、特に果菜類、葉菜類等の実や葉を食べる作物については、収穫付近の時期は特に、農薬の使用が困難であることから好適である。
【００２５】
害虫は、例えば、カ、ハエ、ノミ、ヨトウムシ、ゴキブリ、マメコガネ、アブラムシ、ウンカ、シロアリ、ダニ等を例示できる。本実施形態においては、アザミウマ、ハモグリバエ、ヤガ類である。
【００２６】
作物２が植えられた地表面３とは、圃場の地表面をいい、本実施形態では、植えられた作物２の背丈よりも設置高さが大きくなるようにこの周囲をビニルシートで囲っている。その結果、作物２が植えられた地表面３から作物２の背丈までの領域４は、本実施形態では、縦５０ｍ、横５ｍ、高さ３ｍの領域となる。ここで、作物２が植えられた地表面３から作物２の背丈までの領域４には、拡散ファン８が設置され、炭酸ガスをより効率的に分布させるため、ゆるやかな気流が循環するようになっている。なお、作物２がビニルハウス等の略密閉空間にある場合には、ビニルシートによる囲いを省略できる。
【００２７】
ここで、炭酸ガス濃度、炭酸ガス濃度保持時間、防除特性の測定結果について、本願発明の実施例１〜６、比較例１〜６について、説明する。
【００２８】
ここで防除特性は、約５００匹のアザミウマ（成虫約２００匹、幼虫約１００匹、蛹約１００匹及び卵約１００個）を作物が植えられた地表面３に放飼して、本願発明にかかる防除方法を行い、その後の地表面３及び地中４の害虫の数を求めたものである。
【００２９】
【表１】
2007111005.tif 000003
【００３０】
以上に示すごとく、実施例１〜６と比較例１〜６の結果から明らかなように、本実施形態によれば、作物２が植えられた地表面３から作物２の背丈までの領域４の炭酸ガス濃度を調節するので、作物２に対する影響を与えることなく、蛹や卵を有効に防除することができる。また炭酸ガスを用いることから、別段の拡散装置等を必要とせずに、ガス成分を作物２が植えられた地表面３に近い部分から順次上方に向かって充満させることが可能となり、かつ作物２の光合成を促進することができる。
【００３１】
また、実施例１〜６の結果から明らかなように、本実施形態によれば、炭酸ガス濃度調節条件が一定以上であるので、害虫の確実に防除できる。
【００３２】
また、実施例１〜６の結果から明らかなように、本実施形態によれば、測定結果に応じて、炭酸ガス濃度調節条件を制御できるので、効果的な害虫防除及び光合成の促進が可能となる。
【図面の簡単な説明】
【００３３】
【図１】本願発明の一実施形態における害虫防除システムの斜視図
【図２】本願発明の一実施形態における作物が植えられた地表面から作物の背丈までの領域の説明図
【符号の説明】
【００３４】
１      害虫防除システム
２      作物
３      地表面
４      作物が植えられた地表面から作物の背丈までの領域
５      炭酸ガス濃度調節手段
６      測定手段
７      制御手段
【図１】
2007111005.tif 000004
【図２】
2007111005.tif 000005